(57)【要約】【課題】光ディスク駆動装置において、光ディスクのチャッキング時に発生する騒音を低減する。【解決手段】光ディスク駆動装置１は、ターンテーブル３を上昇させて、ターンテーブル３とクランパ４との間に光ディスクを挟むと共にクランパ４をクランププレート５に押し当てることにより、光ディスクをチャッキングする。クランパ４の回転中心位置には、凸部４１が形成されており、クランププレート５には、クランパ４の凸部４１が嵌合される凹部５３が形成されている。クランパ４の凸部４１は、凹部５３内でクランププレート５に押し当てられる。光ディスクのチャッキング時、クランパ４の凸部４１がクランププレート５の凹部５３に嵌合されることにより、クランパ４の位置ずれが防止され、これにより、クランパ４がクランププレート５に押し当てられるときの騒音が低減される。【選択図】図１
2007242089.tif 000002
【特許請求の範囲】
【請求項１】
光ディスクが載置されて回転駆動される、昇降自在に支持されたターンテーブルと、前記ターンテーブルの上方に回転自在かつ昇降自在に支持されたクランパと、前記クランパの上方に配置され、前記クランパが上方に移動されたときに該クランパに当接するクランププレートと、前記ターンテーブルを昇降させる昇降手段とを備え、前記昇降手段により前記ターンテーブルを上昇させて、前記ターンテーブルとクランパとの間に光ディスクを挟むと共に前記クランパを前記クランププレートに押し当てることにより、光ディスクを前記ターンテーブルとクランパとにより挟持してチャッキングする光ディスク駆動装置において、
前記クランパは、前記クランププレートに押し当てられる凸部が該クランパの回転中心位置に形成されており、該凸部は、先端側が細く丸みを持った曲面形状に形成されており、
前記クランププレートは、前記凸部が嵌合される凹部が形成されており、該凹部内で前記凸部の先端が押し当てられ、
光ディスクのチャッキング時に前記クランパの凸部が前記クランププレートの凹部に嵌合され芯合わせが成されることにより、前記クランパの位置ずれを防止して光ディスクをチャッキングするときの騒音を低減することを特徴とする光ディスク駆動装置。
【請求項２】
光ディスクが載置されて回転駆動される、昇降自在に支持されたターンテーブルと、前記ターンテーブルの上方に回転自在かつ昇降自在に支持されたクランパと、前記クランパの上方に配置され、前記クランパが上方に移動されたときに該クランパに当接するクランププレートと、前記ターンテーブルを昇降させる昇降手段とを備え、前記昇降手段により前記ターンテーブルを上昇させて、前記ターンテーブルとクランパとの間に光ディスクを挟むと共に前記クランパを前記クランププレートに押し当てることにより、光ディスクを前記ターンテーブルとクランパとにより挟持してチャッキングする光ディスク駆動装置において、
前記クランパは、前記クランププレートに押し当てられる凸部又は凹部が該クランパの回転中心位置に形成されており、
前記クランププレートは、前記凸部又は凹部が嵌合される凹部又は凸部が形成されており、
光ディスクのチャッキング時に前記クランパの凸部又は凹部が前記クランププレートの凹部又は凸部に嵌合されることにより、前記クランパの位置ずれを防止して光ディスクをチャッキングするときの騒音を低減することを特徴とする光ディスク駆動装置。
【請求項３】
前記凸部は、先端側が細くなる形状に形成されていることを特徴とする請求項２に記載の光ディスク駆動装置。
【発明の詳細な説明】
【技術分野】
【０００１】
本発明は、例えばＣＤやＤＶＤ等の光ディスクに対して情報の記録／再生を行う光ディスク駆動装置に関するものである。
【背景技術】
【０００２】
従来から、光ディスク駆動装置は、光ディスクをターンテーブルとクランパとにより挟持してチャッキングし、このようにチャッキングした光ディスクをターンテーブル及びクランパと共に回転させ、光ディスクにレーザ光を照射して情報の記録／再生を行うようになっている。この種の光ディスク駆動装置は、ターンテーブルを上昇させてターンテーブルとクランパとの間に光ディスクを挟むと共に、ターンテーブルをさらに上昇させてクランパをクランププレートに押し当てることにより、ターンテーブルとクランパとの間に光ディスクをチャッキングする力を発生させるようにしたものがある。このような光ディスク駆動装置は、クランパをクランププレートに押し当てた状態で光ディスクをターンテーブル及びクランパと共に回転させるようになっており、クランパとクランププレートとの摩擦を少なくするために、クランパの回転中心位置に凸部を形成し、この凸部をクランププレートに押し当てるようになっている。クランププレートのクランパに対向する面は、平坦に形成されている。
【０００３】
一方、光ディスクをチャッキングしていないときにクランパを上方へ付勢した状態で支持することにより、自動車の走行中にクランパが揺動して他の部材に接触しないようにした自動車用の光ディスク駆動装置が知られている（例えば特許文献１参照）。また、クランパに設けた調芯部をターンテーブルの調芯穴に嵌合させることにより、クランパをターンテーブルに対してセンタリングするようにした光ディスク駆動装置が知られている（例えば特許文献２参照）。
【特許文献１】特開平１０−１３４４６４号公報
【特許文献２】特開平１０−１０６０９１号公報
【発明の開示】
【発明が解決しようとする課題】
【０００４】
ところが、上述した従来の光ディスク駆動装置においては、クランププレートのクランパに対向する面が平坦であるため、クランパが中心に対して位置ズレしている状態で光ディスクをチャッキングすると、クランパの凸部がクランププレートに押し当てられるときに騒音が発生することがある。なお、上述した特許文献１及び特許文献２に開示の内容を適用したとしても、上記の課題を解決することはできない。
【０００５】
本発明は、上記課題を解決するためになされたものであり、光ディスクのチャッキング時に発生する騒音を低減することができる光ディスク駆動装置を提供することを目的とする。
【課題を解決するための手段】
【０００６】
上記目的を達成するために請求項１の発明は、光ディスクが載置されて回転駆動される、昇降自在に支持されたターンテーブルと、ターンテーブルの上方に回転自在かつ昇降自在に支持されたクランパと、クランパの上方に配置され、クランパが上方に移動されたときに該クランパに当接するクランププレートと、ターンテーブルを昇降させる昇降手段とを備え、昇降手段によりターンテーブルを上昇させて、ターンテーブルとクランパとの間に光ディスクを挟むと共にクランパをクランププレートに押し当てることにより、光ディスクをターンテーブルとクランパとにより挟持してチャッキングする光ディスク駆動装置において、クランパは、クランププレートに押し当てられる凸部が該クランパの回転中心位置に形成されており、該凸部は、先端側が細く丸みを持った曲面形状に形成されており、クランププレートは、凸部が嵌合される凹部が形成されており、該凹部内で凸部の先端が押し当てられ、光ディスクのチャッキング時にクランパの凸部がクランププレートの凹部に嵌合され芯合わせが成されることにより、クランパの位置ずれを防止して光ディスクをチャッキングするときの騒音を低減するものである。
【０００７】
請求項２の発明は、光ディスクが載置されて回転駆動される、昇降自在に支持されたターンテーブルと、ターンテーブルの上方に回転自在かつ昇降自在に支持されたクランパと、クランパの上方に配置され、クランパが上方に移動されたときに該クランパに当接するクランププレートと、ターンテーブルを昇降させる昇降手段とを備え、昇降手段によりターンテーブルを上昇させて、ターンテーブルとクランパとの間に光ディスクを挟むと共にクランパをクランププレートに押し当てることにより、光ディスクをターンテーブルとクランパとにより挟持してチャッキングする光ディスク駆動装置において、クランパは、クランププレートに押し当てられる凸部又は凹部が該クランパの回転中心位置に形成されており、クランププレートは、凸部又は凹部が嵌合される凹部又は凸部が形成されており、光ディスクのチャッキング時にクランパの凸部又は凹部がクランププレートの凹部又は凸部に嵌合されることにより、クランパの位置ずれを防止して光ディスクをチャッキングするときの騒音を低減するものである。
【０００８】
請求項３の発明は、請求項２に記載の光ディスク駆動装置において、凸部は、先端側が細くなる形状に形成されているものである。
【発明の効果】
【０００９】
請求項１の発明によれば、光ディスクをチャッキングするとき、クランパの凸部がクランププレートの凹部に嵌合され芯合わせが成される。このとき、クランパの凸部は先端側が細く丸みを持った曲面形状であるため、クランパの凸部がクランププレートの凹部に滑らかに嵌合され、これにより、クランパの位置ずれが防止され、クランパの凸部がクランププレートに押し当てられるときの騒音を低減でき、ユーザに高品質な製品を提供できる。
【００１０】
請求項２の発明によれば、光ディスクをチャッキングするとき、クランパの凸部又は凹部がクランププレートの凹部又は凸部に嵌合されることにより、クランパの位置ずれが防止され、これにより、クランパがクランププレートに押し当てられるときの騒音を低減でき、ユーザに高品質な製品を提供できる。
【００１１】
請求項３の発明によれば、凸部は先端側が細くなる形状であるため、クランパの凸部又は凹部がクランププレートの凹部又は凸部に滑らかに嵌合され、これにより、クランパがクランププレートに押し当てられるときの騒音をより一層低減できる。
【発明を実施するための最良の形態】
【００１２】
以下、本発明を具体化した実施形態による光ディスク駆動装置について図面を参照して説明する。図１（ａ）（ｂ）、図２は、光ディスク駆動装置の構成を示し、図３は、光ディスク駆動装置のクランププレートの構成を示す。光ディスク駆動装置１は、例えばＣＤやＤＶＤ等の光ディスクに対して情報の記録／再生を行う装置である。
【００１３】
光ディスク駆動装置１は、光ディスクを搬送するディスクトレイ２と、光ディスクを回転させるためのターンテーブル３と、ターンテーブル３上に光ディスクを固定するためのクランパ４と、クランパ４により光ディスクを固定するための力を付与するクランププレート５と、ターンテーブル３を回転駆動するスピンドルモータ６と、光ディスクに情報の記録／再生のために光を照射する光ピックアップ７等を備える。
【００１４】
ディスクトレイ２は、光ディスクが載置されるディスク載置部２１を有しており、ディスク載置部２１には、開口２２が形成されている。このディスクトレイ２は、シャーシ８にスライド自在に支持されており、ローディングモータ及びギア等により構成されるスライド手段（不図示）によりスライド動作されることにより、ディスク載置部２１に載置された光ディスクをターンテーブル３の上方へ搬送する。
【００１５】
ターンテーブル３は、スピンドルモータ６の回転軸に固定的に連結されており、スピンドルモータ６により回転駆動される。ターンテーブル３の上面には、光ディスクのセンターホールに嵌入されるセンター凸部３１が設けられている。センター凸部３１は、ターンテーブル３の回転中心位置（すなわちスピンドルモータ６の回転軸上）にある。スピンドルモータ６は、シャーシ８に昇降自在に支持された支持台９に固定されており、従って、ターンテーブル３は、支持台９を介して、スピンドルモータ６と一体的に昇降自在にシャーシ８に支持されている。ターンテーブル３（及びスピンドルモータ６）は、ローディングモータ及びギア等により構成される昇降手段（不図示）により昇降される。ターンテーブル３を昇降手段により上昇させることにより、光ディスクのチャッキング（光ディスクをターンテーブル３とクランパ４とにより挟持すること）が行われる。光ディスクのチャッキングの詳細については後述する。
【００１６】
クランパ４及びクランププレート５は、クランパホルダ１０に支持されている。クランパホルダ１０は、シャーシ８に架設されており、クランパホルダ１０には、クランパ４を支持するためのクランパ支持孔１１と、クランププレート５を支持するためのプレート支持溝１２が形成されている。クランパ支持孔１１は、ターンテーブル３の略真上にあり、略円筒形状をしており、クランパホルダ１０を貫通している。プレート支持溝１２は、クランパ支持孔１１の中心を通る直線上に形成されている。クランパホルダ１０は、シャーシ８と一体的に形成されている。
【００１７】
クランパ４は、略円板形状をしており、クランパホルダ１０のクランパ支持孔１１に挿入されて、クランパ４の下部がクランパ支持孔１１から下方に突出した状態で、ターンテーブル３の上方に回転自在かつ昇降自在に支持されている。クランパ４の上面（クランププレート５に対向する面）には、凸部４１が形成されている。凸部４１は、クランパ４の回転中心位置にあり、先端側が細く丸みを持った曲面形状をしている。クランパ４は、樹脂により形成されている。
【００１８】
クランパプレート５は、略真っ直ぐに伸びた形状をしており、クランパホルダ１０のプレート支持溝１２に挿入されて、クランパ４の上方に支持されている。クランパプレート５の一端側には、クランパホルダ１０に係止するための係止片５１が設けられており、係止片５１は、クランパホルダ１０に設けられたプレート係止孔１３に係止されている。また、クランパプレート５の他端側には、引っ張りバネ１９を係合するためのバネ係合片５２が設けられており、バネ係合片５２には、引っ張りバネ１９の一端が係合されている。引っ張りバネ１９の他端は、シャーシ８に設けられたバネ係合部８１に係合されている。
【００１９】
つまり、クランププレート５は、係止片５１が設けられている一端側を中心としてクランパホルダ１０に回動自在に支持されており、引っ張りバネ１９の引っ張り力により下方に付勢されている。クランププレート５の下面（クランパ４に対向する面）には、凹部５３が形成されている。凹部５３は、クランパ４の凸部４１の略真上にあり、曲面形状をしている。クランププレート５は、金属により形成されている。
【００２０】
図４（ａ）（ｂ）（ｃ）は、上記光ディスク駆動装置１による光ディスクのチャッキング動作を示す。光ディスク駆動装置１は、光ディスク９０をチャッキングするとき、まず、ターンテーブル３をディスクトレイ２より下方位置（初期位置）に待機させた状態で、光ディスク９０をディスクトレイ２によりターンテーブル３の上方に搬送する（図４（ａ）参照）。これにより、光ディスク９０は、ターンテーブル３の上方にて、ディスクトレイ２に載置された状態となる。
【００２１】
そして、光ディスク駆動装置１は、ターンテーブル３を初期位置から上昇させる。このとき、ターンテーブル３がディスクトレイ２の開口２２を通り抜けて上昇することにより、光ディスク９０は、ターンテーブル３に持ち上げられてターンテーブル３に載置され、そして、ターンテーブル３がさらに上昇することにより、光ディスク９０は、ターンテーブル３のセンター凸部３１が光ディスク９０のセンターホール９１に嵌入された状態で、ターンテーブル３とクランパ４との間に挟まれる（図４（ｂ）参照）。
【００２２】
また、ターンテーブル３がさらに上昇することにより、クランパ４がターンテーブル３の上昇する力によって光ディスク９０と共に押し上げられて、クランパ４の凸部４１がクランププレート５に押し当てられる（図４（ｃ）参照）。これにより、ターンテーブル３とクランパ４とにより光ディスク９０を挟み付けるチャッキング力が発生し、光ディスク９０は、ターンテーブル３及びクランパ４と共に回転可能なようにターンテーブル３とクランパ４とにより挟持されてチャッキングされる。
【００２３】
このとき、クランパ４の凸部４１はクランププレート５の凹部５３に嵌合され、凹部５３内において、凸部４１の先端がクランププレート５に押し当てられる。すなわち、クランパ４の凸部４１がクランププレート５の凹部５３に嵌合されて芯合わせが成され、これにより、クランパ４の位置ずれが防止される。なお、クランププレート５は、クランパ４の凸部４１が押し当てられることにより、引っ張りバネ１９（上記図１（ａ）、図２参照）の引っ張り力（下方への付勢力）に抗して押し上げられ、引っ張りバネ１９の引っ張り力により適切なチャッキング力を付与するようになっている。
【００２４】
このように、光ディスク駆動装置１は、ターンテーブル３を上昇させて、ターンテーブル３とクランパ４との間に光ディスク９０を挟むと共にクランパ４をクランププレート５に押し当てることにより、光ディスク９０をターンテーブル３とクランパ４とにより挟持してチャッキングする。光ディスク９０をチャッキングした状態でスピンドルモータ６を回転させると、光ディスク９０はターンテーブル３及びクランパ４と共に回転する。
【００２５】
光ディスク９０に対する情報の記録／再生は、このようにチャッキングされた光ディスク９０をスピンドルモータ６の回転によりターンテーブル３及びクランパ４と共に回転させて、光ピックアップ７から光ディスク９０に光を照射することにより行われる。
【００２６】
このような構成の光ディスク駆動装置１によれば、光ディスク９０をチャッキングするとき、クランパ４の凸部４１がクランププレート５の凹部５３に嵌合され芯合わせが成されることにより、クランパ４の位置ずれが防止され、これにより、クランパ４の凸部４１がクランププレート５に押し当てられるときの騒音を低減できる。しかも、クランパ４の凸部４１は先端側が細く丸みを持った曲面形状であるため、クランパ４の凸部４１がクランププレート５の凹部５３に滑らかに嵌合され、これにより、クランパ４の凸部４１がクランププレート５に押し当てられるときの騒音をより一層低減できる。
【００２７】
なお、本発明は、上記実施形態の構成に限られず、種々の変形が可能である。例えば、クランパ４の凸部４１は、先端側が細く丸みを持った曲面形状に限られず、先端側が細くなる円錐形状や角錐状、先端が平坦な形状等であってもよい。クランパ４の凸部４１に代えて凹部を形成し、クランププレート５の凹部５３に代えて凸部を形成してもよい。クランププレート５は、引っ張りバネ１９により付勢されてクランパホルダ１０に回動自在に支持されている構成に限られず、クランパホルダ１０又はシャーシ８に固定的に支持された構成であってもよい。
【図面の簡単な説明】
【００２８】
【図１】（ａ）は本発明の一実施形態に係る光ディスク駆動装置の概略構成を示す斜視図、（ｂ）はその断面図。
【図２】同光ディスク駆動装置の分解斜視図。
【図３】同光ディスク駆動装置のクランププレートを下側から見た部分拡大斜視図。
【図４】同光ディスク駆動装置の光ディスクのチャッキング動作を示す図であり、（ａ）は光ディスクがディスクトレイに載置されている状態の断面図、（ｂ）はターンテーブルを上昇させてターンテーブルとクランパとの間に光ディスクを挟んだ状態の断面図、（ｃ）はターンテーブルをさらに上昇させてクランパの凸部をクランププレートに押し当てた状態の断面図。
【符号の説明】
【００２９】
１    光ディスク駆動装置
２    ディスクトレイ
３    ターンテーブル
４    クランパ
５    クランププレート
６    スピンドルモータ
７    光ピックアップ
８    シャーシ
９    支持台
１０    クランパホルダ
１１    クランパ支持孔
１２    プレート支持溝
１３    プレート係止孔
１９    引っ張りバネ
２１    ディスク戴置部
２２    開口
３１    センター凸部
４１    クランパの凸部
５１    係止片
５２    バネ係合片
５３    クランププレートの凹部
８１    バネ係合部
９０    光ディスク
９１    センターホール
【図１】
2007242089.tif 000003
【図２】
2007242089.tif 000004
【図３】
2007242089.tif 000005
【図４】
2007242089.tif 000006